(57)【要約】【課題】告知放送が開始されるまでの時間が短縮された告知放送システム。【解決手段】センタ装置２は、告知放送信号を乗せる第１搬送波と、制御信号を乗せる第２搬送波とを、周波数帯の異なる別の搬送波として、ＣＡＴＶケーブル３０を介して、送信手段２０によって信号を受信端末装置１に送信する。受信端末装置１は、告知放送信号を、放送受信手段１０により受信、復調し、制御信号を、制御信号受信手段１１により受信、復調する。このように、放送受信手段１０と制御信号受信手段１１とに分けたことにより、制御信号としてＦＳＫデータ信号を用いることができ、告知放送が開始されるまでの時間を短縮することができる。【選択図】図１
2008178028.tif 000002
【特許請求の範囲】
【請求項１】
センタ装置からの告知放送を、有線放送によって各受信端末装置に配信する告知放送システムにおいて、
前記センタ装置は、
所定帯域内の第１搬送波を、告知放送信号で変調した信号と、前記第１搬送波とは異なる所定帯域内の第２搬送波を、制御信号で変調した信号と、を伝送線を介して前記受信端末装置に送信する送信手段を有し、
前記受信端末装置は、
前記第１搬送波を前記告知放送信号で変調した信号を受信して前記告知放送信号を得る放送受信手段と、
前記第２搬送波を前記制御信号で変調した信号を受信して前記制御信号を得る制御信号受信手段と、
前記制御信号に基づき、前記告知放送信号による前記告知放送の制御を行う放送制御手段と、
を有する、
ことを特徴とする告知放送システム。
【請求項２】
前記送信手段は、前記第１搬送波および前記第２搬送波とは異なる帯域であるＦＭ放送を、伝送線を介して前記受信端末装置に送信する手段を有し、
前記放送受信手段は、前記ＦＭ放送を受信し、
前記放送制御手段は、前記制御信号に基づき、前記ＦＭ放送の受信を制御することを特徴とする請求項１に記載の告知放送システム。
【請求項３】
前記送信手段は、前記告知放送をしない場合も、常時、前記第２搬送波を送信する手段であり、
前記受信端末装置は、前記第２搬送波の有無を検出する検出手段を有することを特徴とする請求項１または請求項２に記載の告知放送システム。
【請求項４】
前記放送受信手段は、特定の第１の無線ＦＭ放送を受信し、
前記受信端末装置は、前記検出手段が前記第２搬送波を検出しない場合は、前記放送受信手段により前記第１の無線ＦＭ放送を復調し、前記検出手段が前記第２搬送波を検出する場合は、伝送線を伝搬した有線信号を復調するように受信を切り換える切り換え手段を有する、
ことを特徴とする請求項３に記載の告知放送システム。
【請求項５】
前記受信端末装置は、
前記第１の無線ＦＭ放送からトーン信号を得るトーン信号受信手段を有し、
前記放送制御手段は、前記トーン信号に基づいて前記第１の無線ＦＭ放送の受信を制御する、
ことを特徴とする請求項４に記載の告知放送システム。
【請求項６】
前記制御信号受信手段は、前記第１の無線ＦＭ放送と異なる第２の無線ＦＭ放送を復調する手段を兼ねることを特徴とする請求項４または５に記載の告知放送システム。
【請求項７】
前記制御信号は、ＦＳＫ方式で変調された信号であることを特徴とする請求項１ないし請求項６のいずれか１項に記載の告知放送システム。
【請求項８】
告知放送を、有線放送によって受信する受信端末装置において、
所定帯域内の第１搬送波を告知放送信号で変調した信号を受信して前記告知放送信号を得る放送受信手段と、
前記第１搬送波とは異なる所定帯域内の第２搬送波を制御信号で変調した信号を受信して前記制御信号を得る制御信号受信手段と、
前記制御信号に基づき、前記告知放送信号による前記告知放送の制御を行う放送制御手段と、
を有することを特徴とする受信端末装置。
【請求項９】
前記放送受信手段は、特定の第１の無線ＦＭ放送を受信し、
前記受信端末装置は、
前記第２搬送波の有無を検出する検出手段と、
前記検出手段が前記第２搬送波を検出しない場合は、前記第１の無線ＦＭ放送を復調し、前記検出手段が前記第２搬送波を検出する場合は、伝送線を伝搬した有線信号を復調するように受信を切り換える切り換え手段と、を有することを特徴とする請求項８に記載の受信端末装置。
【請求項１０】
前記受信端末装置は、
前記第１の無線ＦＭ放送からトーン信号を得るトーン信号受信手段を有し、
前記放送制御手段は、前記トーン信号に基づいて前記第１の無線ＦＭ放送の受信を制御する、
ことを特徴とする請求項９に記載の受信端末装置。
【請求項１１】
前記制御信号受信手段は、前記第１の無線ＦＭ放送と異なる第２の無線ＦＭ放送を復調する手段を兼ねることを特徴とする請求項９または１０に記載の受信端末装置。
【請求項１２】
前記制御信号は、ＦＳＫ方式で変調された信号であることを特徴とする請求項８ないし請求項１１のいずれか１項に記載の受信端末装置。
【発明の詳細な説明】
【技術分野】
【０００１】
本発明は、伝送線により各受信端末装置に告知情報を配信する告知放送システム、および、その告知放送システムに用いる受信端末装置に関するものである。特に、制御信号を受信してから告知放送が開始されるまでの時間が短いものに関する。
【背景技術】
【０００２】
従来より、ＣＡＴＶやＦＴＴＨなどを用いて、豪雨、地震、火事といった防災情報や、行政情報、生活情報などを提供するＦＭ告知放送システムが実用化され、地域に密着した情報システムとして活用されている。従来のＦＭ告知放送システムでは、放送を行う搬送波を制御信号により変調して送出し、受信端末装置において復調された制御信号によって、告知放送を制御している。
【０００３】
たとえば、特許文献１に記載のＦＭ告知放送システムは、ステレオ信号のＬ信号、Ｒ信号のうち一方に制御信号、他方に音声信号（告知する情報の信号）を乗せて放送し、受信装置において制御信号と音声信号を復調し、この制御信号に基づき、音声信号から音声を再生することで、告知放送を行っている。
【特許文献１】２００６−１９１３４７
【発明の開示】
【発明が解決しようとする課題】
【０００４】
しかし、従来のＣＡＴＶやＦＴＴＨを用いた告知放送では、放送を行う搬送波に制御信号を乗せているため、常に告知放送の受信開始ができるように告知放送を選局しておく必要があった。このため、告知放送をしていない期間を利用して受信端末装置側でＦＭ放送を選局してＦＭ放送を聞くことができなかった。また、告知放送終了時のＤＴＭＦ方式の制御信号（トーン信号）によるデータ音がスピーカーから聞こえてしまうという問題があった。さらに、制御信号にＤＴＭＦ方式を使用しているため、実際に制御信号に基づいて告知放送が開始されるまでの制御時間が長く、災害情報などの緊急を要する情報をすみやかに放送することが難しい。今後、告知放送システムを用いて配信されることが期待されている、緊急地震速報（地震波の解析により予測される主要動の到達時刻、震度の情報）においては、その速報の発表から主要動の到達まで数秒から十数秒程度の短い時間であるから、この緊急地震速報を告知放送システムにより配信する場合は、地震発生から受信端末装置において緊急地震速報の告知放送が開始されるまでの時間ができる限り短いことが求められる。しかし、現状では、告知放送開始の制御信号を受信してから実際に告知放送が開始されるまでには６〜７秒を要する。
【０００５】
また、特許文献１のようにＲ信号やＬ信号に制御信号を乗せる場合は、セパレーション（左右音声分離度）特性が十分確保されないため、Ｒ信号、Ｌ信号のうち制御信号を乗せていない方の信号の音声品質の劣化や、制御信号の高速化に不向き、といった問題がある。
【０００６】
そこで本発明の目的は、告知放送をしていない場合には、受信端末装置側でＦＭ放送を選局してＦＭ放送を聞くことができ、かつ、ＦＭ放送を聞いている状態であっても、告知放送が開始されると瞬時に告知放送が選局されるようにすることである。また、信号によるデータ音がスピーカーから聞こえることなく、さらに、制御信号を受信してから告知放送が開始されるまでの時間が短い、ＦＭ告知放送システム、および、そのＦＭ告知放送システムに用いる受信端末装置を実現することである。
【課題を解決するための手段】
【０００７】
第１の発明は、センタ装置からの告知放送を、有線放送によって各受信端末装置に配信する告知放送システムにおいて、センタ装置は、所定帯域内の第１搬送波を、告知放送信号で変調した信号と、第１の搬送波とは異なる所定帯域内の第２搬送波を、制御信号で変調した信号と、を伝送線を介して前記受信端末装置に送信する送信手段を有し、受信端末装置は、第１搬送波を告知放送信号で変調した信号を受信して告知放送信号を得る放送受信手段と、第２搬送波を制御信号で変調した信号を受信して制御信号を得る制御信号受信手段と、制御信号に基づき、告知放送信号による告知放送の制御を行う放送制御手段とを有することを特徴とする告知放送システムである。
【０００８】
ここで、告知放送は、所定帯域を用いた音声放送である。通常は７０〜９０ＭＨｚ帯の一部帯域を使用するが、他の任意の帯域であってもよい。また、有線放送とは、ＣＡＴＶケーブルや、光ケーブルなどの伝送線を伝送路として用いた放送である。告知放送とＴＶ放送などが、有線で周波数多重化されて送信される。また、制御信号は、告知放送の開始、終了、録音、音量などの放送の制御や、受信端末装置のアドレスやＦＭ放送の周波数などのデータ更新を行うための信号で、放送制御手段は、受信した制御信号によりこのような制御を行う手段である。
【０００９】
告知放送の制御は、センタ装置を直接に制御することで行ってもよいし、伝送線を介した遠隔制御装置や、携帯電話などの他のネットワークを介した装置により、間接的にセンタ装置を制御することで行ってもよい。また、他のシステム（たとえば、地震警報システムなど）と連動させて、自動的に告知放送を制御してもよい。
【００１０】
告知放送信号と制御信号は、それぞれ別の所定帯域内である第１搬送波と第２搬送波に乗せられ、受信端末装置において、それぞれ別の受信手段である放送受信手段と制御信号受信手段によって復調、受信される。放送受信手段は、告知放送信号の復調、選局などを行う手段であり、制御信号受信手段は、制御信号の復調、選局を行う手段である。
【００１１】
センタ装置は、告知放送をしない間は、第１搬送波を送信する必要はない。
【００１２】
第１搬送波は、互いに周波数帯の異なる複数の搬送波であってもよい。複数のエリアに対して異なる告知放送を同時に行うことが可能となる。
【００１３】
第１搬送波と第２搬送波は同じ変調方式としてもよい。これにより、同一構成のチューナで放送受信手段と制御信号受信手段とを構成することができる。
【００１４】
第２の発明は、第１の発明において、送信手段は、第１搬送波および第２搬送波とは異なる帯域であるＦＭ放送を、伝送線を介して受信端末装置に送信する手段を有し、放送受信手段は、ＦＭ放送を受信し、放送制御手段は、前記制御信号に基づき、ＦＭ放送の受信を制御することを特徴とする告知放送システムである。
【００１５】
第３の発明は、第１の発明または第２の発明において、送信手段は、告知放送をしない場合も、常時、第２搬送波を送信する手段であり、受信端末装置は、第２搬送波の有無を検出する検出手段を有することを特徴とする告知放送システムである。
【００１６】
第２搬送波の検出の有無により、伝送線の断線や非接続を判断できる。つまり、第２搬送波を検出できないときは、伝送線の断線や非接続であると推定できる。第２搬送波を制御信号で変調する場合は、ＦＳＫ方式やＰＳＫ方式などの第２搬送波が常時出力される方式により変調する必要がある。基本的には、周波数変調方式を用いるのが望ましい。また、第１搬送波の変調方式と同一でもよい。
【００１７】
第４の発明は、第３の発明において、放送受信手段は、特定の第１の無線ＦＭ放送を受信し、受信端末装置は、検出手段が第２搬送波を検出しない場合は、放送受信手段により第１の無線ＦＭ放送を復調し、検出手段が第２搬送波を検出する場合は、伝送線を伝搬した有線信号を復調するように受信を切り換える切り換え手段を有することを特徴とする告知放送システムである。有線信号は、有線の告知放送と有線のＦＭ放送である。
【００１８】
第５の発明は、第４の発明において、受信端末装置は、第１の無線ＦＭ放送からトーン信号を得るトーン信号受信手段を有し、放送制御手段は、トーン信号に基づいて第１の無線ＦＭ放送の受信を制御することを特徴とする告知放送システムである。
【００１９】
たとえば、コミュニティＦＭ放送にトーン信号を乗せ、緊急放送時に最大音量で公報を出力するように受信を制御する告知放送システムである。
【００２０】
第６の発明は、第４の発明または第５の発明において、制御信号受信手段は、第１の無線ＦＭ放送と異なる第２の無線ＦＭ放送を復調する手段を兼ねることを特徴とする告知放送システムである。第２の無線ＦＭ放送は、一般に商用のＦＭ放送である。
【００２１】
第２の無線ＦＭ放送と第２搬送波の変調方式を同一のものとすると、制御信号受信手段を、第２の無線ＦＭ放送を受信するための手段としても使用することができ、別途第１の無線ＦＭ放送以外の第２の無線ＦＭ放送を受信するためのチューナを用いることなく、たとえば、放送受信手段で第１の無線ＦＭ放送を受信し、制御信号受信手段で第２の無線ＦＭ放送を受信することが可能である。また、制御信号受信手段で第２の無線ＦＭ放送を選局している場合でも、第１の無線ＦＭ放送に含まれるトーン信号に基づき放送受信手段でコミュニティＦＭ放送を自動的に選局するようにできる。また制御信号受信手段で第２の無線ＦＭ放送を選局している場合には、第２搬送波の有無を検出するために、定期的に第２搬送波の周波数に選局を切り換えることで、第２搬送波の有無を検出できる。
【００２２】
第７の発明は、第１の発明から第６の発明において、制御信号は、ＦＳＫ方式で変調された信号であることを特徴とする告知放送システムである。
【００２３】
第８の発明は、告知放送を有線放送によって受信する受信端末装置において、所定帯域内の第１搬送波を告知放送信号で変調した信号を受信して告知放送信号を得る放送受信手段と、第１搬送波とは異なる所定帯域内の第２搬送波を制御信号で変調した信号を受信して制御信号を得る制御信号受信手段と、制御信号に基づき、告知放送信号による告知放送の制御を行う放送制御手段と、を有することを特徴とする受信端末装置である。
【００２４】
第９の発明は、第８の発明において、放送受信手段は、特定の第１の無線ＦＭ放送を受信し、受信端末装置は、第２搬送波の有無を検出する検出手段と、検出手段が第２搬送波を検出しない場合は、第１の無線ＦＭ放送を復調し、検出手段が第２搬送波を検出する場合は、伝送線を伝搬した有線信号を復調するように受信を切り換える切り換え手段と、を有することを特徴とする受信端末装置である。
【００２５】
第１０の発明は、第９の発明において、受信端末装置は、第１の無線ＦＭ放送からトーン信号を得るトーン信号受信手段を有し、放送制御手段は、トーン信号に基づいて第１の無線ＦＭ放送の受信を制御することを特徴とする受信端末装置である。
【００２６】
第１１の発明は、第９の発明または第１０の発明において、制御信号受信手段は、前記第１の無線ＦＭ放送と異なる第２の無線ＦＭ放送を復調する手段を兼ねることを特徴とする受信端末装置である。
【００２７】
第１２の発明は、第８の発明から第１１の発明において、制御信号は、ＦＳＫ方式で変調された信号であることを特徴とする受信端末装置である。
【発明の効果】
【００２８】
第１、８の発明によると、告知放送を行う第１搬送波と制御信号を送る第２搬送波とを別の周波数帯域とし、受信端末装置において、告知放送と制御信号の受信手段を、放送受信手段と制御信号受信手段とに分離したことにより、告知放送を行っていないときでも、制御信号を受信できる。そのため、従来のような、告知放送終了時の制御信号によるデータ音がスピーカーから聞こえてしまうという問題は生じない。また、制御信号が放送の音声品質に影響することもない。さらに、制御信号としてトーン信号以外（たとえば、第７、１２の発明のような、ＦＳＫ方式で変調された信号）を用いることができるため、告知放送が開始されるまでの時間を大幅に短縮することができる。また、告知放送を行わないときは、第１搬送波を送信しないようにできる。
【００２９】
また、第２の発明によると、ＦＭ放送を選局している場合でも制御信号を受信することができるため、告知放送をしていない場合には、受信端末装置側でＦＭ放送を選局してＦＭ放送を聞くことができ、かつ、ＦＭ放送を聞いている状態であっても、告知放送に自動的に切り換えることができる。
【００３０】
また、第３の発明では、常時送信される第２搬送波の有無を監視することにより、伝送線の断線や非接続を把握することが可能となる。さらに第４、９の発明のように、伝送線の断線時、非接続時には無線ＦＭ放送の受信へ切り換え、伝送線の断線、非接続からの復旧時には、有線放送の受信に戻すことができる。特に、第５、１０の発明のように、無線ＦＭ放送にトーン信号を乗せ、そのトーン信号に基づいて制御することで、自動的に無線ＦＭ放送を選局するよう制御することができる。
【発明を実施するための最良の形態】
【００３１】
以下、本発明の具体的な実施例を図を参照にしながら説明するが、本発明はそれらの実施例に限定されるものではない。
【実施例１】
【００３２】
図１は、本発明の告知放送システムに用いる受信端末装置１の構成を示すブロック図であり、図２は、本発明の告知放送システムの構成の概略を示す図である。
【００３３】
まず、告知放送システムの構成について説明する。告知放送システムは、図２に示すように、告知放送の受信端末装置１と、遠隔制御装置３と、固定電話機４と、携帯電話機５と、センタ装置２と、コミュニティＦＭ局６と、により構成されている。受信端末装置１、遠隔制御装置３は、ＣＡＴＶケーブル３０を介してセンタ装置２に接続し、固定電話機４は、電話回線３２を介してセンタ装置２に接続し、携帯電話機５は、無線通信によりセンタ装置２に接続する。
【００３４】
コミュニティＦＭ局６は、一部の地域を対象として、その地域に密着した情報、たとえばその地域の災害情報、生活情報など、を放送する放送局である。コミュニティＦＭ放送は、本発明の第１の無線ＦＭ放送に相当する。このコミュニティＦＭ局６から送信される無線ＦＭ放送信号には、トーン信号による制御信号が乗せられている。この制御信号は、放送の開始、終了、選局周波数などを制御する信号である。
【００３５】
センタ装置２は、ＣＡＴＶケーブル３０を介して各受信端末装置１に告知放送を配信する送信手段２０を有している。この送信手段２０は、ＦＭ周波数帯域（７０〜９０ＭＨｚ）の第１搬送波を、告知放送信号（音声信号）で周波数変調した信号と、第１搬送波の周波数帯とは異なるＦＭ周波数帯域の第２搬送波を、制御信号（ＦＳＫデータ信号）で周波数変調した信号と、第１、２搬送波とは周波数帯の異なるＦＭ周波数帯域の搬送波を、ラジオ放送信号で周波数変調した信号と、をＣＡＴＶケーブル３０を介して受信端末装置１に送信する手段である。
【００３６】
受信端末装置１は、ＣＡＴＶケーブル３０を介してセンタ装置２から送信される告知放送信号およびラジオ放送信号を復調して受信する放送受信手段１０と、制御信号を復調して受信する制御信号受信手段１１を有している。
【００３７】
次に、受信端末装置１の構成について、図１を参照に説明する。受信端末装置１は、ＣＰＵ１００を有し、ＣＰＵ１００は、チューナ１０１、１０２、録音・再生部１０４、音量コントロール部１０５、スピーカ制御部１０６、ＬＥＤ１０９、スイッチ１１６、電源１１８に接続していて、それらを制御する。また、ＣＰＵ１００は、不揮発性メモリ１０８からデータを読み出し、不揮発性メモリ１０８にデータを書き込む。また、選局ボタン１１０、音量ボタン１１１、再生ボタン１１２はＣＰＵ１００に接続されている。
【００３８】
ＣＡＴＶ端子ＩＮ、ＣＡＴＶ端子ＯＵＴは、ＢＰＦ（バンドパスフィルタ）１１３に接続し、ＢＰＦ１１３は混合器１１７に接続している。アンテナ１１５は、ＢＰＦ１１４に接続し、ＢＰＦ１１４はスイッチ１１６に接続し、スイッチ１１６は混合器１１７に接続している。混合器１１７は、チューナ１０１、１０２に接続している。チューナ１０１は、トーンデコーダ１０３、録音・再生部１０４に接続し、チューナ１０２は、ＣＰＵ１００に接続している。録音・再生部１０４は、音量コントロール部１０５に接続し、音量コントロール部１０５はスピーカ制御部１０６、スピーカ制御部１０６はスピーカ１０７に接続している。
【００３９】
チューナ１０１、ＢＰＦ１１３、１１４、ＣＡＴＶ端子ＩＮ、アンテナ１１５、スイッチ１１６、混合器１１７が、本説明の放送受信手段１０に相当する。チューナ１０２、ＢＰＦ１１３、ＣＡＴＶ端子ＩＮが、本説明の制御信号受信手段１１に相当する。トーン信号デコーダ１０３が、本発明のトーン信号受信手段に相当する。ＣＰＵ１００が、本発明の放送制御手段に相当する。また、チューナ１０２が、本発明の検出手段に相当し、スイッチ１１６が、本発明の切り換え手段に相当する。
【００４０】
電源１１８は、電池制御部１１９、電源レギュレータ１２０で構成されており、商用電源の停電時においても乾電池側から電源が供給され、受信端末装置１を起動できるようにしている。ＢＰＦ１１３、１１４はＦＭ周波数帯域の信号のみ通過させるフィルタである。ＬＥＤ１０９は、ＣＰＵ１００の制御による点灯、点滅などにより、告知放送の有無、電源のオンオフ、等を知らせるためのものである。不揮発性メモリ１０８には、受信端末装置の端末ＩＤ、グループＩＤ、無線ＦＭ放送の周波数、などを記憶する。
【００４１】
次に、センタ装置２における動作について説明する。遠隔制御装置３、固定電話機４、携帯電話機５の操作により告知放送信号および制御信号がセンタ装置２に入力される、または、直接センタ装置２を操作して告知放送信号および制御信号が入力されると、送信手段２０は、第１搬送波に告知放送信号を乗せて、第２搬送波に制御信号を乗せて、ＣＡＴＶケーブル３０を介して受信端末装置１に送信する。または、センタ装置２が受信した情報に基づき、自動的に告知放送を行ってもよい。たとえば、気象庁等から地震発生情報を受信し、センタ装置２において地震の到達時刻や規模などを演算し、その到達時刻や規模などの情報を告知放送として受信端末装置１に送信する。また、送信手段２０は、告知放送信号が入力されない間は、第１搬送波を送信しない。第２搬送波は、制御信号の有無によらず常時送信する。また、搬送波にラジオ放送信号を乗せた信号も常時送信する。
【００４２】
次に、受信端末装置１の動作について説明する。
【００４３】
まず、告知放送信号がセンタ装置２に入力されていない場合の、受信端末装置１の動作について説明する。この場合、センタ装置２からは、搬送波にラジオ放送信号を乗せた信号と、第２搬送波に制御信号を乗せた信号がＣＡＴＶケーブル３０を介して送信される。それらの信号は、受信端末装置１のＣＡＴＶ端子ＩＮに入力され、ＢＰＦ１１３を通してチューナ１０１、１０２へ入力される。
【００４４】
ＣＰＵ１００は、チューナ１０２で第２搬送波の周波数を選局するよう制御する。そして、チューナ１０２において制御信号が復調され、ＣＰＵ１００へ送られる。ＣＰＵ１００は、その制御信号から、受信可能なラジオ放送局を判断する。選局ボタン１１０により、ある特定のラジオ放送を再生するよう操作されると、ＣＰＵ１００は、その特定のラジオ放送の周波数を選局するようにチューナ１０１を制御する。そして、その特定のラジオ放送信号を復調し、そのラジオ放送信号は、録音・再生部１０４に入力され、スピーカ１０７からその特定のラジオ放送の音声が出力される。
【００４５】
次に、告知放送信号がセンタ装置２に入力されている場合の、受信端末装置１の動作について説明する。この場合、センタ装置２からは、搬送波にラジオ放送信号を乗せた信号と、第１搬送波に告知放送信号を乗せた信号と、第２搬送波に制御信号を乗せた信号がＣＡＴＶケーブル３０を介して送信される。
【００４６】
告知放送信号がセンタ装置２に入力されていない場合と同様にして、制御信号がＣＰＵ１００に送られる。この時の制御信号には、告知放送を開始する旨の情報が含まれ、ＣＰＵ１００は、制御信号に基づき、告知放送の周波数を選局するようチューナ１０１を制御する。そして、その告知放送信号を復調し、その告知放送信号は、録音・再生部１０４に入力され、スピーカ１０７からその告知放送の音声が出力される。制御信号に緊急の告知放送である旨の情報が含まれている場合は、ＣＰＵ１００は、音量を大きくするよう、音量コントロール部１０５を制御する。また、ＣＰＵ１００は、告知放送を録音するよう録音・再生部１０４を制御する。録音した告知放送の再生は、再生ボタン１１２の操作により行われる。そして、告知放送を終了する旨の制御信号がＣＰＵ１００に入力されると、ＣＰＵ１００は、チューナ１０１の制御により告知放送を終了する。
【００４７】
また、外部表示装置を受信端末装置１と接続して、制御信号に含まれるテキストデータを外部表示装置に出力することで、外部表示装置によって告知放送の情報を視覚的に表示させることもできる。
【００４８】
以上のように、告知放送信号およびラジオ放送信号と、制御信号とは、チューナ１０１、１０２により別々に受信、復調される。
【００４９】
従来は、制御信号と告知放送信号が同一の搬送波に乗せられていたため、告知放送をしていない場合でも常時告知放送を選局している必要があったが、制御信号を乗せる搬送波と、告知放送信号を乗せる搬送波を別にし、受信、復調も別にすることで、告知放送をしていない場合に受信端末装置１側でＦＭ放送を選局してＦＭ放送を聞くことができ、かつ、ＦＭ放送を聞いている状態であっても、告知放送が開始されると自動的に告知放送を選局して再生されるようにすることができる。また、制御信号が録音・再生部１０４に入力されることがないため、制御信号のデータ音がスピーカ１０７より出力されることもない。また、制御信号としてトーン信号を用いる必要がないので、ＦＳＫデータ信号などを制御信号とすることで、告知放送を開始する旨の制御信号を受信してから実際に告知放送が開始されるまでの時間を短縮することができる。したがって本発明は、秒を争うような緊急の災害情報（たとえば、緊急地震速報）などを告知するのにも有効である。
【００５０】
次に、ＣＡＴＶケーブル３０の断線、非接続などが起こった場合の受信端末装置１の動作について説明する。
【００５１】
チューナ１０２は、制御信号以外に、第２搬送波の有無についての信号（キャリア検出信号）も出力する。そのキャリア検出信号はＣＰＵ１００に入力される。第２搬送波の有無は、第２搬送波のレベルが、あらかじめＣＰＵ１００に設定されたしきい値を超えているか否かで判断される。第２搬送波は、常時センタ装置２から送信されているので、この第２搬送波の有無によって、ＣＡＴＶケーブル３０の断線、非接続を判断できる。第２搬送波が検出されている間は、ＣＰＵ１００は、スイッチ１１６をオフにし、有線放送側の信号を受信する。
【００５２】
第２搬送波が検出されない場合、ＣＰＵ１００は、スイッチ１１６をオンにするよう制御する。これにより、アンテナ１１５から無線ＦＭ放送信号を受信できるようになる。無線ＦＭ放送は、選局ボタン１１０の操作により選局でき、ＣＰＵ１００は、その選局された周波数を受信するようチューナ１０１を制御する。なお、選局できる周波数は、第２搬送波が検出されている間に受信した制御信号により、不揮発性メモリ１０８に記憶された周波数である。このようにして、ＣＡＴＶケーブル３０の断線、非接続時には、無線ＦＭ放送を聞くことができる。
【００５３】
また、どの無線ＦＭ放送も選局されていない場合は、次のようにして自動的にコミュニティＦＭ局６を受信、再生することができる。ＣＰＵ１００は、コミュニティＦＭ局６の周波数を選局するようチューナ１０１を制御し、コミュニティＦＭ局６が送信する無線ＦＭ放送信号に乗せられているトーン信号を、トーン信号デコーダ１０３により復調し、ＣＰＵ１００に入力する。ＣＰＵ１００は、そのトーン信号に基づき、録音・再生部１０４を制御し、スピーカ１０７よりコミュニティＦＭ局６の放送が出力される。また、第２の無線ＦＭ放送が選局されている場合であっても、選局ボタン１１０の操作によりコミュニティＦＭ局６を受信、再生することができる。
【００５４】
また、その後、ＣＡＴＶケーブル３０の断線、非接続から復旧した場合は、ＣＰＵ１００はスイッチ１１６をオフにし、有線放送側の有線信号を受信する。
【００５５】
このように、実施例１の告知放送システムでは、第２搬送波の有無によりＣＡＴＶケーブル３０の断線、非接続を検出し、断線、非接続時には、自動的に無線ＦＭ放送を受信できるよう切り換え、復旧後は、自動的に有線放送を受信するように戻すことが可能である。
【００５６】
実施例１において、もう１つチューナを設けて、コミュニティＦＭ放送以外の第２の無線ＦＭ放送を受信するようにしてもよい。コミュニティＦＭ放送以外の無線ＦＭ放送が選局されている場合であっても、自動的にコミュニティＦＭ局６を受信、再生することができる。
【実施例２】
【００５７】
図３は、実施例２の告知放送システムに用いる受信端末装置２００の構成を示すブロック図である。受信端末装置１との違いは、ＣＰＵ１００によって制御されるスイッチ２０１を設けている点である。このスイッチ２０１によって、録音・再生部１０４との接続を、チューナ１０１とチューナ１０２とに切り換える。また、実施例１では、チューナ１０２は制御信号の受信のみに用いていたが、実施例２では、第２搬送波と第２の無線ＦＭ放送は、同一の変調方式で、チューナ１０２は第２の無線ＦＭ放送の受信にも用いる。
【００５８】
この構成によって、コミュニティＦＭ局６以外の第２の無線ＦＭ放送が選局されている場合であっても、以下のようにしてトーン信号に基づき自動的にコミュニティＦＭ局６を選局することができる。スイッチ２０１がチューナ１０２に接続され、チューナ１０２でコミュニティＦＭ局６以外の第２の無線ＦＭ放送が選局されている場合でも、チューナ１０１ではコミュニティＦＭ放送が選局され、トーンデコーダ１０３からコミュニティＦＭ局６が送信する第１の無線ＦＭ放送信号に乗せられているトーン信号が出力され、ＣＰＵ１００に入力される。ＣＰＵ１００は、このトーン信号に基づき、チューナ１０２との接続からチューナ１０１との接続に切り換えるようスイッチ２０１を制御する。録音・再生部１０４には第１の無線ＦＭ放送信号が入力され、スピーカ１０７よりコミュニティＦＭ局６の放送が出力される。
【００５９】
また、ＣＰＵ１００は、定期的にチューナ１０２で第２搬送波の周波数を選局するよう制御する。たとえば、１分おきに１μｓの間第２搬送波の周波数を選局し、その後元の無線ＦＭ放送の選局に戻す。第２搬送波を検出する場合は、実施例１の場合と同様に、ＣＰＵ１００はスイッチ１１６を制御して有線放送側の信号を受信するように切り換える。
【００６０】
以上のように、実施例２によると、第２の無線ＦＭ放送受信用のチューナを設けることなく、コミュニティＦＭ局６以外の第２の無線ＦＭ放送が選局されている場合であっても、コミュニティＦＭ局６を選局できる。また、ＣＡＴＶケーブル３０の断線、非接続からの復旧後に、自動的に有線放送を受信するように戻すことが可能である。
【００６１】
なお、実施例２では、チューナ１０２を第２の無線ＦＭ放送の受信と制御信号の受信に用いているが、チューナ１０２を第１の無線ＦＭ放送の受信と制御信号の受信に用い、チューナ１０１を第２の無線ＦＭ放送の受信に用いるようにしてもよい。この場合スイッチ２０１は、チューナ１０２からの信号が、常時トーンデコーダ１０３に入力されるような位置に設けられていればよい。
【００６２】
実施例では、ＣＡＴＶケーブル３０を用いているが、ＣＡＴＶケーブル３０に替えて光ケーブルなどを用いて告知放送システムを構成してもよい。また、制御信号は、ＦＳＫ方式以外の方式により変調された信号であってもよい。
【産業上の利用可能性】
【００６３】
本発明の告知放送システムは、告知放送が開始されるまでの時間が短いため、災害情報などの緊急を要する情報を告知するのに有効である。
【図面の簡単な説明】
【００６４】
【図１】実施例１の告知放送システムに用いられる受信端末装置の構成を示すブロック図。
【図２】実施例１の告知放送システムの構成を示す図。
【図３】実施例２の受信端末装置の構成を示すブロック図。
【符号の説明】
【００６５】
１、２００：受信端末装置
２：センタ装置
６：コミュニティＦＭ局
１０：放送受信手段
１１：制御信号受信手段
２０：送信手段
３０：ＣＡＴＶケーブル
１００：ＣＰＵ
１０１、１０２：チューナ
１０３：トーン信号デコーダ
１０４：録音・再生部
１０５：音量コントロール部
１１５：アンテナ
１１６、２０１：スイッチ
【図１】
2008178028.tif 000003
【図２】
2008178028.tif 000004
【図３】
2008178028.tif 000005